(57)【特許請求の範囲】
【請求項１】
入力される各画像データと、該画像データに関する印刷情報を記述した印刷情報ファイルを該画像データと共に記録媒体に記録可能な画像処理装置であって、
印刷条件を設定する印刷条件設定手段と、
前記印刷条件設定手段により設定された印刷条件を保持する保持手段と、
入力された画像データを前記記録媒体に記録させる指示を行う記録指示手段と、
前記保持手段により保持された印刷条件に基づいて印刷情報を作成する作成手段と、
前記記録指示手段による指示に基づいて、画像データを前記記録媒体に記録させると共に、当該画像データに関する印刷情報を前記作成手段により作成して前記記録媒体に記録させる制御手段と、
を有することを特徴とする画像処理装置。
【請求項２】
さらに、前記保持手段により保持された印刷条件に基づく印刷情報ファイルの作成を選択する選択手段とを有し、
前記作成手段は、前記記録指示手段による記録指示がなされ、かつ、前記選択手段により印刷情報ファイルの作成が選択されている場合に、前記保持手段により保持された印刷条件に基づいて印刷情報を作成し、
前記制御手段は、前記記録指示手段による記録指示に基づいて、画像データを前記記録媒体に記録させると共に、当該画像データに関する印刷情報を前記作成手段により作成して、前記記録媒体に記録させることを特徴とする請求項１に記載の画像処理装置。
【請求項３】
前記制御手段は、前記記録指示手段により記録指示されている画像データを圧縮して前記記録媒体に記録することを特徴とする請求項１に記載の画像処理装置。
【請求項４】
前記印刷情報ファイルは、ＤＰＯＦファイルであることを特徴とする請求項１に記載の画像処理装置。
【請求項５】
前記入力される画像データは、記録再生中の画像データからキャプチャーされる画像データであることを特徴とする請求項１に記載の画像処理装置。
【請求項６】
前記入力される画像データは、撮像装置により撮像されている画像データからキャプチャーされる画像データであることを特徴とする請求項１に記載の画像処理装置。
【請求項７】
前記記録媒体は、リムーバルメディアであることを特徴とする請求項１に記載の画像処理装置。
【請求項８】
さらに撮像手段を有することを特徴とする請求項１乃至９のいずれかに記載の画像処理装置。
【請求項９】
入力される各画像データと、該画像データに関する印刷情報を記述した印刷情報ファイルを該画像データと共に記録媒体に記録可能な画像処理装置の制御方法であって、
印刷条件を設定する印刷条件設定ステップと、
前記印刷条件設定ステップにより設定された印刷条件を保持手段に保持する保持ステップと、
入力された画像データを前記記録媒体に記録させる指示を行う記録指示ステップと、
前記保持手段により保持された印刷条件に基づく印刷情報を作成する作成ステップと、
前記記録指示ステップによる指示に基づいて、前記記録媒体に画像データを記録させると共に、前記作成ステップにより作成された当該画像データに関する印刷情報を前記記録媒体に記録させる制御ステップと、
を有することを特徴とする画像処理装置の制御方法。
【請求項１０】
さらに、前記保持手段により保持された印刷条件に基づく印刷情報の作成を選択する選択ステップを有し、
前記作成ステップは、前記記録指示ステップに記録指示がなされ、かつ、前記選択ステップにより印刷情報の作成が選択された場合に、前記保持手段により保持された前記所望の印刷条件に基づく印刷情報を作成し、
前記制御ステップでは、前記記録指示ステップによる記録させる指示に基づいて、画像データを前記記録媒体に記録させると共に、前記作成ステップにより作成された印刷情報を前記記録媒体に記録させることを特徴とする請求項９に記載の画像処理装置の制御方法。
【請求項１１】
前記制御ステップは、前記記録指示ステップにより記録指示されている画像データを圧縮して前記記録媒体に記録することを特徴とする請求項９に記載の画像処理装置の制御方法。
【請求項１２】
前記印刷情報ファイルは、ＤＰＯＦファイルであることを特徴とする請求項９に記載の画像処理装置の制御方法。
【請求項１３】
前記入力される画像データは、記録再生中の画像データからキャプチャーされる画像データであることを特徴とする請求項９に記載の画像処理装置の制御方法。
【請求項１４】
前記入力される画像データは、撮像装置により撮像されている画像データからキャプチャーされる画像データであることを特徴とする請求項９に記載の画像処理装置の制御方法。
【請求項１５】
前記記録媒体は、リムーバルメディアであることを特徴とする請求項９に記載の画像処理装置の制御方法。
【請求項１６】
入力される各画像データと、該画像データに関する印刷情報を記述した印刷情報ファイルを該画像データと共に記録媒体に記録可能な画像処理装置に、
印刷条件を設定する印刷条件設定ステップと、
前記印刷条件設定ステップにより設定された印刷条件を保持手段に保持する保持ステップと、
入力された画像データを前記記録媒体に記録させる指示を行う記録指示ステップと、
前記保持手段により保持された印刷条件に基づく印刷情報を作成する作成ステップと、
前記記録指示ステップによる指示に基づいて、画像データを前記記録媒体に記録させると共に、前記作成ステップにより作成された当該画像データに関する印刷情報を前記記録媒体に記録させる制御ステップとを実行させるためのプログラムを記録したコンピュータが読み取り可能な記憶媒体。
【請求項１７】
さらに、前記保持手段により保持された印刷条件に基づく印刷情報の作成を選択する選択ステップを有し、
前記作成ステップでは、前記記録指示ステップによる記録指示がなされ、かつ、前記選択ステップにより印刷情報の作成が選択された場合に、前記保持手段により保持された印刷条件に基づく印刷情報を作成し、
前記制御ステップでは、前記記録指示ステップによる記録指示に基づいて、画像データを前記記録媒体に記録させると共に、前記作成ステップにより作成された当該画像に関する印刷情報を前記記録媒体に記録させることを実行させるためのプログラムを記録した請求項１６に記載のコンピュータが読み取り可能な記憶媒体。
【請求項１８】
前記制御ステップは、前記記録指示ステップにより記録指示されている画像データを圧縮して前記記録媒体に記録することを特徴とする請求項１６に記載の記憶媒体。
【請求項１９】
前記印刷情報ファイルは、ＤＰＯＦファイルであることを特徴とする１６に記載の記憶媒体。
【請求項２０】
前記入力される画像データは、記録再生中の画像データからキャプチャーされる画像データであることを特徴とする請求項１６に記載の記憶媒体。
【請求項２１】
前記入力される画像データは、撮像装置により撮像されている画像データからキャプチャーされる画像データであることを特徴とする１６に記載の記憶媒体。
【請求項２２】
前記記録媒体は、リムーバルメディアであることを特徴とする１６に記載の記憶媒体。
【請求項２３】
入力される各画像データと、該画像データに関する印刷情報を記述した印刷情報ファイルを該画像データと共に記録媒体に記録可能な画像処理装置であって、
印刷条件を設定する印刷条件設定手段と、
前記印刷条件設定手段により設定された印刷条件を保持する保持手段と、
入力された画像データを前記記録媒体に記録させる指示を行う記録指示手段と、
前記記録指示手段による記録指示がなされた場合に、前記保持手段により保持された印刷条件を、当該画像データに設定する設定手段と、
前記記録指示手段による前記画像データの記録指示に応じて、前記設定手段により印刷条件の設定された画像データを前記記録媒体に記録させる制御手段と、を有することを特徴とする画像処理装置。
【請求項２４】
入力される各画像データと、該画像データに関する印刷情報を記述した印刷情報ファイルを該画像データと共に記録媒体に記録可能な画像処理装置における画像処理方法であって、
印刷条件を設定する印刷条件設定ステップと、
前記印刷条件設定手ステップにより設定された印刷条件を保持手段に保持する保持ステップと、
入力された画像データを前記記録媒体に記録させる指示を行う記録指示ステップと、
前記記録指示ステップによる記録指示がなされた場合に、前記保持手段により保持された印刷条件を、当該画像データに設定する設定ステップと、
前記記録指示ステップによる前記画像データの記録指示に応じて、前記設定手段により印刷条件の設定された画像データを前記記録媒体に記録させる制御ステップと、
を有することを特徴とする画像処理方法。
【発明の詳細な説明】
【０００１】
【発明の属する技術分野】
本発明は、記録媒体に記録された画像データと、該画像データに関する印刷情報を記述した印刷情報ファイルを読み出可能な画像処理装置の制御に関するものである。
【０００２】
【従来の技術】
従来、デジタルカメラ等の画像処理装置に装着される記録メディア上に記録された画像データを印刷処理するためのファイルフォーマットが提案されている。例えばＤｉｇｉｔａｌ  Ｐｒｉｎｔ  Ｏｒｄｅｒ  Ｆｏｒｍａｔ（ＤＰＯＦ）ファイルでは、自動プリント情報をデジタルカメラ等で撮影した電子写真画像ファイルとともに、ＣＦカード（Ｃｏｍｐａｃｔ  Ｆｌａｓｈ  Ｃａｒｄ）やＭＭＣカード（Ｍｕｌｔｉ  Ｍｅｄｉａ  Ｃａｒｄ）等のリムーバルメディア（Ｒｅｍｏｖａｌ  Ｍｅｄｉａ）内に格納し、プリント時に利用することを目的として規格化されたファイルフォーマットである。
【０００３】
ＤＰＯＦファイルには、リムーバルメディア（Ｒｅｍｏｖａｌ  Ｍｅｄｉａ）中の特定の電子写真画像をプリントするために必要な情報が記述されている。
【０００４】
最近の電子機器の中には、リムーバルメディアの小型化に伴い、デジタルカメラ以外にもリムーバルメディア内にＤＰＯＦファイルを記録できる機器が増えてきている。例えば最近のカムコーダでは、動画像の記録にはビデオテープ等の自機記録装置を用い、静止画像の記録にはＭＭＣカード等のリムーバルメディアを用いるものがあり、ＭＭＣカード内に静止画像ファイルとそれに関連するＤＰＯＦファイルを記録できる構成となっている。
【０００５】
【発明が解決しようとする課題】
しかしながら、従来のＤＰＯＦファイルを記録可能なカムコーダにおいて、連続した撮像画像や再生画像の中から印刷したい画像を選択し、選択された画像についてＤＰＯＦ情報を設定するには以下のような複雑な手順を採らねばならなかった。
【０００６】
先ず、静止画像ファイルを作成するために、カメラ撮影中であれば一般的にフォトスイッチ等と呼ばれる静止画取り込み専用スイッチを押下して、静止画像ファイルをリムーバルメディア内に記録する。また、テープ記録された画像から静止画像ファイルを作成する際も同様にテープ再生中にフォトスイッチ等の静止画取り込み専用スイッチを押下して、テープ再生画像中から任意の静止画像ファイルをリムーバルメディア内に記録する。
【０００７】
次に、取り込んだ静止画像を確認するためにシステムを静止画像表示モードにしてメディア内に記録された静止画像をＴＶモニタなどの表示装置に表示させる。その後、表示された画像をプリントした場合には、画像についてのプリント情報を各画像毎にスイッチで設定しＤＰＯＦファイルに記録するというような複雑、かつ煩雑な手順を採らなければならなかった。
【０００８】
特に、プリントしたい静止画像ファイルが多い場合には、上記の複雑、かつ煩雑な手順を繰り返し行わなければならないため、ＤＰＯＦファイルの設定に多くの時間を要するという問題点が指摘されていた。
【０００９】
本発明は、上記の課題を解決するためになされたもので、本発明の目的は、簡単な操作で入力される画像データと該画像データに対する印刷情報ファイルとを効率よく記録媒体に記録することができる仕組みを提供することである。
【００１１】
【課題を解決するための手段】
本発明に係る画像処理装置は、以下の特徴的構成を備える。
入力される各画像データと、該画像データに関する印刷情報を記述した印刷情報ファイルを該画像データと共に記録媒体に記録可能な画像処理装置であって、印刷条件を設定する印刷条件設定手段と、前記印刷条件設定手段により設定された印刷条件を保持する保持手段と、入力された画像データを前記記録媒体に記録させる指示を行う記録指示手段と、前記保持手段により保持された印刷条件に基づいて印刷情報を作成する作成手段と、前記記録指示手段による指示に基づいて、画像データを前記記録媒体に記録させると共に、当該画像データに関する印刷情報を前記作成手段により作成して前記記録媒体に記録させる制御手段と、を有することを特徴とする。
また、入力される各画像データと、該画像データに関する印刷情報を記述した印刷情報ファイルを該画像データと共に記録媒体に記録可能な画像処理装置であって、印刷条件を設定する印刷条件設定手段と、前記印刷条件設定手段により設定された印刷条件を保持する保持手段と、入力された画像データを前記記録媒体に記録させる指示を行う記録指示手段と、前記記録指示手段による記録指示がなされた場合に、前記保持手段により保持された印刷条件を、当該画像データに設定する設定手段と、前記記録指示手段による前記画像データの記録指示に応じて、前記設定手段により印刷条件の設定された画像データを前記記録媒体に記録させる制御手段と、を有することを特徴とする。
【００１２】
本発明に係る画像処理装置の制御方法は、以下の特徴的構成を備える。
入力される各画像データと、該画像データに関する印刷情報を記述した印刷情報ファイルを該画像データと共に記録媒体に記録可能な画像処理装置の制御方法であって、印刷条件を設定する印刷条件設定ステップと、前記印刷条件設定ステップにより設定された印刷条件を保持手段に保持する保持ステップと、入力された画像データを前記記録媒体に記録させる指示を行う記録指示ステップと、前記保持手段により保持された印刷条件に基づく印刷情報を作成する作成ステップと、前記記録指示ステップによる指示に基づいて、前記記録媒体に画像データを記録させると共に、前記作成ステップにより作成された当該画像データに関する印刷情報を前記記録媒体に記録させる制御ステップと、を有することを特徴とする。
また、入力される各画像データと、該画像データに関する印刷情報を記述した印刷情報ファイルを該画像データと共に記録媒体に記録可能な画像処理装置における画像処理方法であって、印刷条件を設定する印刷条件設定ステップと、前記印刷条件設定手ステップにより設定された印刷条件を保持手段に保持する保持ステップと、入力された画像データを前記記録媒体に記録させる指示を行う記録指示ステップと、前記記録指示ステップによる記録指示がなされた場合に、前記保持手段により保持された印刷条件を、当該画像データに設定する設定ステップと、前記記録指示ステップによる前記画像データの記録指示に応じて、前記設定手段により印刷条件の設定された画像データを前記記録媒体に記録させる制御ステップとを有することを特徴とする。
【００４１】
【発明の実施の形態】
〔第１実施形態〕
図１は、本発明の第１実施形態を示す画像処理装置の構成を説明するブロック図であり、カムコーダの例を示す。
【００４２】
図１において、１０１は撮像部で、被写体を撮影して映像信号を出力する。１０２は主記憶部で、撮像部１０１から出力される映像信号が入力される。主記憶装置１０２は、磁気テープや磁気ディスク、大容量の半導体メモリ等で構成される。
【００４３】
１０３は画像圧縮部で、撮像部１０１からの映像信号や主記憶部１０２からの再生信号を、制御部１０７からの制御信号に基づき処理して、該入力された映像信号をキャプチャーし圧縮処理して静止画像データに変換処理する。
【００４４】
１０４は例えばＬＣＤ等で構成されるモニタ部で、撮像部１０１からの映像信号や主記憶部１０２からの再生信号が入力され、該入力された映像信号を画面上に表示する。１０５はＩ／Ｆ部で、画像圧縮部１０３から出力される圧縮画像データや制御部１０７から入力されるＤＰＯＦデータをファイルとしてメモリカード１０６に書き込む。
【００４５】
なお、メモリカード１０６は、ＣＦカード（Ｃｏｍｐａｃｔ  Ｆｌａｓｈ  Ｃａｒｄ）やＭＭＣカード（Ｍｕｌｔｉ  Ｍｅｄｉａ  Ｃａｒｄ）等のリムーバルなメモリカードで構成され、入力される様々なデータをファイルとして記録する。
【００４６】
制御部１０７は、画像処理装置の各構成要素を後述するフローチャートの制御手順に従い制御するためのＣＰＵ１０７１と該制御手順に従うプログラムを記憶しているプログラムメモリ１０７２を備え、プログラムメモリ１０７２に格納されたプログラムに基づいてＣＰＵ１０７１が動作する。
【００４７】
制御部１０７には、カムコーダの各種操作を行うキーユニット１０８と、記録の実行を入力する記録スイッチ１０９が接続される。なお、記録スイッチ１０９は、１段目のストロークでＳＷ１がＯＮされ、それに続く２段目のストロークでＳＷ２もＯＮする２段階のスイッチとして機能するように構成されている。
【００４８】
図２は、本発明に係る画像処理装置における第１のデータ処理手順の一例を示すフローチャートであり、図１に示したカムコーダの印刷条件設定処理手順に対応する。なお、Ｓ１００〜Ｓ１０３は各ステップを示す。また、各ステップに基づく処理は、図１に示したプログラムメモリ１０７２に格納されており、本処理は該プログラムメモリ１０７２に格納された制御手順をＣＰＵ１０７１が実行することにより実現される。
【００４９】
先ず、ステップＳ１００において、画像当たりの印刷枚数を設定する。そして、ステップＳ１０１において、画像を印刷する大きさを設定し、ステップＳ１０２で、画像の回転方向（印刷時の縦横の方向）を設定する。そして、ステップＳ１０３で、設定された各印刷条件を制御部１０７内部の印刷条件メモリへ保存して、処理を終了する。
【００５０】
図３は、本発明に係る画像処理装置における第２のデータ処理手順の一例を示すフローチャートであり、図１に示したカムコーダの再生モードにおける動作手順に対応する。なお、Ｓ２００〜Ｓ２０９は各ステップを示す。また、各ステップに基づく処理は、図１に示したプログラムメモリ１０７２に格納されており、本処理は該プログラムメモリ１０７２に格納された制御手順をＣＰＵ１０７１が実行することにより実現される。
【００５１】
先ず、ステップＳ２００において、図２に示した印刷条件設定処理にてあらかじめ設定された印刷条件を制御部１０７内部の印刷条件メモリから読み出す。そして、ステップＳ２０１で、主記憶部１０２に記憶された画像データをモニタ部１０４に再生表示させる。
【００５２】
次に、ステップＳ２０２で、記録スイッチ１０９のスイッチＳＷ１が押下されたかどうかを判定して、記録スイッチＳＷ１が押下されていないと判定した場合には、再びステップＳ２０１に戻り、画像の再生処理を続ける。
【００５３】
一方、ステップＳ２０２で、記録スイッチ１０９のスイッチＳＷ１が押下されたと判定した場合には、ステップＳ２０３で、主記憶部１０２からの再生動作を一時ホールドし、画像圧縮部１０３がホールドされた再生画像をキャプチャーする処理を行う。
【００５４】
次に、ステップＳ２０４で、モニタ部１０４は画像圧縮部１０３がキャプチャーした画像を表示する。そして、カムコーダの操作者がキャプチャーされた画像を確認して静止画として記録したいと判断した場合に、操作者は記録スイッチ１０９の２段目のスイッチＳＷ２を押下する操作を行う。
【００５５】
そこで、ステップＳ２０５で、記録スイッチ１０９のスイッチＳＷ２が押下されているかどうかを判定して、スイッチＳＷ２が押下されていないと判定した場合にはステップＳ２０２の処理に戻る。
【００５６】
一方、ステップＳ２０５で、記録スイッチ１０９のスイッチＳＷ２が押下されていると判定された場合は、ステップＳ２０６で、画像圧縮部１０３にキャプチャーした画像データを圧縮させる処理を行う。
【００５７】
次に、ステップＳ２０７で、Ｉ／Ｆ部１０５を介してメモリカード１０６に画像圧縮ファイルを記録する処理を行う。そして、ステップＳ２０８で、後述するようなＤＰＯＦデータを作成する処理を行う。次に、ステップＳ２０９で、前の処理で作成されたＤＰＯＦデータをファイルにしてＩ／Ｆ部１０５を介してメモリカード１０６に記録する処理を行い、ＤＰＯＦファイルのメモリカード１０６への記録処理が終了したら、ステップＳ２０１へ戻り、引き続き主記憶部１０２からの画像再生動作を行う。
【００５８】
図４は、図１に示したメモリカード１０６に記録されるプリント情報の一例を示す図である。
【００５９】
図４において、「ＪＯＢ」とは、個々のプリント情報を格納するセクションを示すものである。「ＰＲＴ  ＰＩＤ」とは、同一のプリント群を特定するためのＩＤである。
【００６０】
「ＰＲＴ  ＴＹＰ」とは、プリントの種類を指定するためのパラメータであり、図４に示す例では、「ＳＴＤ」が指定された例であり、当該「ＳＴＤ」は、スタンダードプリントを指定している例である。
【００６１】
「ＰＲＴ  ＱＴＹ」とは、プリント枚数を指定するパラメータであり、図４に示す例では、「１」枚を指定している例である。「ＣＦＧ  ＲＯＴ」とは、画像の回転方向を指定するパラメータであり、図４に示す例では、横方向の一般的な画像であることを指定する「０００」がセットされた例である。
【００６２】
「ＩＭＧ  ＦＭＴ」とはプリントする対象画像ファイルのフォーマット形式を示すものであり、例えば「ＥＸＩＦ２−Ｊ」がセットされた例である。「ＩＭＧＳＲＣ」とは対象画像ファイルを指定するものであり、メモリカード１０６内のパスで指定される。図４に示す例では、「ＩＭＧ＿０００１．ＪＰＧ」，「ＩＭＧ＿０００２．ＪＰＧ」の画像ファイルが指定されている場合に対応する。
【００６３】
このように再生画像をモニタ部１０４で確認しながら記録スイッチ１０９を押下した場合、圧縮された静止画像ファイルＩＭＧ＿０００１．ＪＰＧやＩＭＧ＿０００２．ＪＰＧが作成されると同時に、図４に示すようなＤＰＯＦファイルも作成される。
【００６４】
なお、本例では、記録スイッチ１０９を２つの再生画像について押下した場合であるが、押下する回数を増やすと「ＪＯＢ」で示されたセクションがＤＰＯＦファイルに追加されて行く。
【００６５】
このように画像ファイルとＤＰＯＦファイルの記録されたメディアによりＤＰＯＦファイルに対応したプリンタや印刷処理業者（プリントサービス提供者）等で自動的な画像プリントが可能になる。
【００６６】
以上説明したような構成動作とすることにより、カムコーダを再生中に所望の場合で記録スイッチを押下するという簡単な操作で、所望の静止画像ファイルを作成すると同時に該画像についての印刷条件を記述したＤＰＯＦファイルも容易に作成することができる。
【００６７】
図５は、本発明に係る画像処理装置における第３のデータ処理手順の一例を示すフローチャートであり、カムコーダを撮影中に静止画像ファイルとＤＰＯＦファイルを作成する処理手順に対応する。なお、Ｓ４００〜Ｓ４０９は各ステップを示す。
【００６８】
先ず、ステップＳ４００で、あらかじめ設定された印刷条件を制御部１０７の内部メモリから読み出す。そして、ステップＳ４０１で、撮像部１０１からのカメラ画像をモニタ部１０４に表示させる。
【００６９】
次に、ステップＳ４０２で、記録スイッチ１０９のスイッチＳＷ１が押下されたかどうかを判定し、記録スイッチ１０９のスイッチＳＷ１が押下されていないと判定された場合には、ステップＳ４０１に処理が移り、カメラ画像の表示処理を継続する。
【００７０】
一方、ステップＳ４０２で、記録スイッチ１０９のスイッチＳＷ１が押下されていると判定された場合には、ステップＳ４０３で、撮像部１０１からのカメラ画像を画像圧縮部１０３がキャプチャーする処理を行う。次に、ステップＳ４０４にて、モニタ部１０４は、画像圧縮部１０３がキャプチャーした画像を表示する。そして、カムコーダの操作者がキャプチャーされたカメラ画像を確認して静止画として記録したいと判断した場合に、操作者は記録スイッチ１０９の２段目のスイッチＳＷ２を押下する操作を行う。
【００７１】
そして、ステップＳ４０５で、記録スイッチ１０９のＳＷ２が押下されたかどうかを判定して、記録スイッチ１０９のＳＷ２が押下されていないと判定された場合は、ステップＳ４０２へ戻る。
【００７２】
一方、ステップＳ４０５で、記録スイッチ１０９のＳＷ２が押下されたと判定した場合には、ステップＳ４０６で、画像圧縮部１０３にキャプチャーした画像を圧縮させる処理を行う。
【００７３】
次に、ステップＳ４０７で、Ｉ／Ｆ部１０５を介してメモリカード１０６に画像圧縮ファイルを記録する処理を行う。そして、ステップＳ４０８で、前述したＤＰＯＦデータを作成する処理を行う。次に、ステップＳ４０９にて、前の処理で作成されたＤＰＯＦデータをファイルにしてＩ／Ｆ部１０５を介してメモリカード１０６に記録する処理を行う。そして、ＤＰＯＦファイルの記録処理が終了すると、処理は再び、ステップＳ４０１に戻り、引き続き撮像部１０１からのカメラ画像の表示動作を行う。
【００７４】
このようにカメラ撮像中においても所望の撮影の場面において、記録スイッチを押下するだけで、所望の静止画像ファイルを作成すると同時に該画像についての印刷情報を記述したＤＰＯＦファイルも容易に作成することができる。
【００７５】
〔第２実施形態〕
本実施形態の特徴は操作者が記録時にＤＰＯＦファイルを作成するか否かを決めるＤＰＯＦ作成スイッチ１１０が制御部１０７に付加された点にある。
以下、その実施形態について説明する。
【００７６】
図６は、本発明の第２実施形態を示す画像処理装置の構成を説明するブロック図であり、図１と同一のものには同一の符号を付してある。
【００７７】
図６において、１１０はＤＰＯＦ作成スイッチで、該ＤＰＯＦ作成スイッチ１１０の押下有無をＣＰＵ１０７１が判定して、ＤＰＯＦファイルの作成を制御して、例えばＤＰＯＦ作成スイッチ１１０の押下指示（ＯＮ）されていない場合には、ＤＰＯＦファイルを作成することなく圧縮画像ファイルのみを作成する。
【００７８】
図７は、本発明に係る画像処理装置における第４のデータ処理手順の一例を示すフローチャートであり、カムコーダの再生モードにおける動作手順に対応する。なお、Ｓ６００〜Ｓ６１０は各ステップを示す。また、本処理はプログラムメモリ１０７２に格納されたプログラムに従いＣＰＵ１０７１により制御される。
【００７９】
先ず、ステップＳ６００において、あらかじめ設定された印刷条件を制御部１０７内のメモリから読み出す。次に、ステップＳ６０１で、主記憶部１０２に記憶された画像データをモニタ部１０４に再生表示させる。
【００８０】
そして、ステップＳ６０２で、記録スイッチ１０９のスイッチＳＷ１が押下されたかどうかを判定し、スイッチＳＷ１が押下されていないと判定された場合には、再びステップＳ６０１に処理が移り、画像の再生処理を続ける。
【００８１】
一方、ステップＳ６０２で、記録スイッチ１０９のスイッチＳＷ１が押下されていると判定された場合には、ステップＳ６０３で主記憶部１０２からの再生動作を一時ホールドし、画像圧縮部１０３がホールドされた再生画像をキャプチャーする処理を行う。
【００８２】
次に、ステップＳ６０４で、モニタ部１０４は画像圧縮部１０３がキャプチャーした画像を表示する。ここで、カムコーダの操作者がキャプチャーされた画像を確認して静止画として記録したいと判断した場合に、操作者は記録スイッチ１０９の２段目のスイッチＳＷ２を押下する操作を行う。そして、ステップＳ６０５で、スイッチＳＷ２が押下されているかどうかを判定して、ステップＳ６０５で記録スイッチ１０９のスイッチＳＷ２が押下されていないと判定した場合には、ステップＳ６０２に処理が戻る。
【００８３】
一方、ステップＳ６０５で、記録スイッチ１０９のスイッチＳＷ２が押下されていると判断した場合には、ステップＳ６０６で、画像圧縮部１０３にキャプチャーした画像を圧縮させる処理を行う。そして、ステップＳ６０７でＩ／Ｆ部１０５を介してメモリカード１０６に画像圧縮ファイルを記憶する処理を行う。
【００８４】
次のステップＳ６０８で、ＤＰＯＦ作成スイッチ１１０が押下されているか否かを判定して、ＤＰＯＦ作成スイッチ１１０が押下されていないと判定した場合は、ＤＰＯＦファイルの作成は行わず、再びステップＳ６０１に処理を移し画像の再生処理を行う。
【００８５】
そして、ステップＳ６０８で、ＤＰＯＦ作成スイッチ１１０が押下されていると判定した場合は、ステップＳ６０９で、ＤＰＯＦデータの作成処理を行う。次に、ステップＳ６１０で、作成されたＤＰＯＦデータをファイルにしてＩ／Ｆ部１０５を介してメモリカード１０６に記録する処理を行う。
【００８６】
このようにしてＤＰＯＦファイルの記録処理が終了すると、処理は再びステップＳ６０１に戻り、画像の再生処理を行う。
【００８７】
以上説明したような構成動作とすることにより、カムコーダを再生中に所望の場面で記録スイッチ１０９とＤＰＯＦ作成スイッチ１１０を押下するだけで、所望の静止画ファイルを作成すると同時に該画像についての印刷条件を記述したＤＰＯＦファイルも容易に作成することができる。
【００８８】
また、ＤＰＯＦファイルを必要としない場合やステップＳ６０４でモニタ部１０４に表示された再生画像を見て印刷不要と操作者が判断した場合には、ＤＰＯＦ作成スイッチ１１０を押下しないことにより、該画像に対してのＤＰＯＦファイルを作成することなく、圧縮画像ファイルのみを作成することが可能となる。
【００８９】
図８は、本発明に係る画像処理装置における第５のデータ処理手順の一例を示すフローチャートであり、カムコーダのカメラ撮影モードにおける動作手順に対応する。なお、Ｓ７００〜Ｓ７１０は各ステップを示す。また、本処理はプログラムメモリ１０７２に格納されたプログラムに従いＣＰＵ１０７１により制御される。
【００９０】
先ず、ステップＳ７００で、あらかじめ設定された印刷条件を制御部１０７内のメモリから読み出す処理を行う。次に、ステップＳ７０１で、撮像部１０１からのカメラ画像をモニタ部１０４に表示させる処理を行う。
【００９１】
そして、ステップＳ７０２で、記録スイッチ１０９のスイッチＳＷ１が押下されたかどうかを判定する処理を行い、ステップＳ７０２で、記録スイッチ１０９のスイッチＳＷ１が押下されていないと判定された場合には、再びステップＳ７０１に処理が移り、カメラ画像をモニタ部１０４に表示させる処理を続ける。
【００９２】
一方、ステップＳ７０２で、記録スイッチ１０９のスイッチＳＷ１が押下されていると判定された場合には、ステップＳ７０３で撮像部１０１からのカメラ画像を画像圧縮部１０３がキャプチャーする処理を行う。そして、ステップＳ７０４で、モニタ部１０４は画像圧縮部１０３がキャプチャーしたカメラ画像を表示する。ここで、カムコーダの操作者がキャプチャーされた画像を確認して静止画として記録したいと判断した場合に、操作者は記録スイッチ１０９の２段目のスイッチＳＷ２を押下する操作を行う。
【００９３】
次に、ステップＳ７０５で、記録スイッチ１０９のスイッチＳＷ２が押下されたかどうかを判定して、記録スイッチ１０９のスイッチＳＷ２が押下されていないと判定された場合には、ステップＳ７０２に処理が戻る。
【００９４】
一方、ステップＳ７０５で、記録スイッチ１０９のスイッチＳＷ２が押下されていると判断した場合には、ステップＳ７０６で画像圧縮部１０３にキャプチャーした画像を圧縮させる処理を行う。そして、ステップＳ７０７で、Ｉ／Ｆ部１０５を介してメモリカード１０６に画像圧縮ファイルを記録する処理を行う。次に、ステップＳ７０８で、ＤＰＯＦ作成スイッチ１１０が押下されているか否かを判定して、ＤＰＯＦ作成スイッチ１１０が押下されていないと判定した場合には、ＤＰＯＦファイルの作成は行わず、ステップＳ７０１に処理を移し、カメラ画像の表示処理を行う。
【００９５】
次に、ステップＳ８０８で、ＤＰＯＦ作成スイッチ１１０が押下されていると判断した場合は、ステップＳ７０９に処理を移し、ステップＳ７０９で前述したＤＰＯＦデータを作成する処理を行う。そして、ステップＳ７１０で、作成されたＤＰＯＦデータをファイルにしてＩ／Ｆ部１０５を介してメモリカード１０６に記録する処理を行い、該記録する処理を終了すると、処理は再びステップＳ７０１に戻り、カメラ画像の表示処理を行う。
【００９６】
このようにカメラ撮影時においても所望の場面で記録スイッチ１０９とＤＰＯＦ作成スイッチ１１０を押下するだけで、所望の静止画像ファイルを作成すると同時に該画像についての印刷条件を記述したＤＰＯＦファイルも容易に作成することができる。また、ＤＰＯＦファイルを必要としない場合や、ステップＳ７０４でモニタ部１０４に表示されたカメラ画像を見て、印刷不要と操作者が判断した場合には、ＤＰＯＦ作成スイッチ１１０を押下しないことにより、該画像に対してＤＰＯＦファイルを作成することなく、圧縮画像ファイルのみを作成することが可能となる。
【００９７】
なお、上記の説明において、ＤＰＯＦファイルの作成処理を行うことを説明しているが、これは、新たにＤＰＯＦファイルを作成することを意味するだけではない。例えば、すでに記録媒体にＤＰＯＦファイルが存在している場合には、新たに別のＤＰＯＦファイルを作成しなくても、すでに存在するDPOFファイルの一部を編集・更新する処理を含むものとする。
【００９８】
以下、図９に示すメモリマップを参照して本発明に係る画像処理装置を適用可能な画像処理システムで読み出し可能なデータ処理プログラムの構成について説明する。
【００９９】
図９は、本発明に係る画像処理装置を適用可能な画像処理システムで読み出し可能な各種データ処理プログラムを格納する記憶媒体のメモリマップを説明する図である。
【０１００】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０２】
本実施形態における図２，図３，図５，図７，図８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０４】
この場合、記憶媒体から読み出されたプログラムコード自体が本発明の新規な機能を実現することになり、そのプログラムコードを記憶した記憶媒体は本発明を構成することになる。
【０１０５】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１０６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０８】
【発明の効果】
以上説明したように、本発明によれば、簡単な操作で入力される画像データと該画像データに対する印刷情報ファイルとを効率よく記録媒体に記録することができる画像処理環境を自在に構築することができる。
【図面の簡単な説明】
【図１】本発明の第１実施形態を示す画像処理装置の構成を説明するブロック図である。
【図２】本発明に係る画像処理装置における第１のデータ処理手順の一例を示すフローチャートである。
【図３】本発明に係る画像処理装置における第２のデータ処理手順の一例を示すフローチャートである。
【図４】図１に示したメモリカードに記録されるプリント情報の一例を示す図である。
【図５】本発明に係る画像処理装置における第３のデータ処理手順の一例を示すフローチャートである。
【図６】本発明の第２実施形態を示す画像処理装置の構成を説明するブロック図である。
【図７】本発明に係る画像処理装置における第４のデータ処理手順の一例を示すフローチャートである。
【図８】本発明に係る画像処理装置における第５のデータ処理手順の一例を示すフローチャートである。
【図９】本発明に係る画像処理装置を適用可能な画像処理システムで読み出し可能な各種データ処理プログラムを格納する記憶媒体のメモリマップを説明する図である。
【符号の説明】
１０１  撮像部
１０２  主記憶部
１０３  画像圧縮部
１０４  モニタ部
１０５  Ｉ／Ｆ部
１０６  メモリカード
１０７  制御部
１０８  キーユニット
１０９  記録スイッチ
１１０  ＤＰＯＦ作成スイッチ
【図１】
0003854817.tif 000002
【図２】
0003854817.tif 000003
【図３】
0003854817.tif 000004
【図４】
0003854817.tif 000005
【図５】
0003854817.tif 000006
【図６】
0003854817.tif 000007
【図７】
0003854817.tif 000008
【図８】
0003854817.tif 000009
【図９】
0003854817.tif 000010